【手続補正書】
【提出日】平成26年4月21日(2014.4.21)
【手続補正１】
【補正対象書類名】明細書
【補正対象項目名】００４０
【補正方法】変更
【補正の内容】
【００４０】
図１に示されるように、本実施の形態にかかる照明装置１００は、縦３個×横３個に並べて電気的直列に配置された第１の固体光源２０、第２の固体光源５０、第３の固体光源７０と、それぞれの固体光源を保持するプレート２１、プレート５１、プレート７１と、それぞれの固体光源より生じる熱を冷却するための冷却装置２４、冷却装置５４、冷却装置７４と、それぞれの固体光源の前方に配置されたコリメートレンズ２２、コリメートレンズ５２、コリメートレンズ７２と、それぞれのコリメートレンズの前方に配置されたコンデンサレンズ３０、コンデンサレンズ６０、コンデンサレンズ８０と、それぞれのコンデンサレンズの前方に配置された光学部品（拡散板３１、拡散板６１、拡散板８１、凹レンズ３２、凹レンズ６２、凹レンズ８２、ダイクロイックミラー３３０、ダイクロイックミラー６３０、ダイクロイックミラー８３０、集光レンズ３４、集光レンズ６４、集光レンズ８４）と、蛍光基板３９０およびそのモータ４０と、リレーレンズ４１およびリレーレンズ６５と、光学手段８５とを含む。また、第１の固体光源２０、第２の固体光源５０および第３の固体光源７０をそれぞれ独立に駆動するための駆動手段１１を備えてなる。駆動手段１１の種類としては特に限定されないが、たとえば、パルス駆動電流源を駆動手段１１として採用することができる。本実施の形態では、パルス駆動電流源を駆動手段１１として採用している。また、本実施の形態では、駆動手段１１は、複数の光源の駆動強度を、映像モードや表示している映像に合わせて動的に切り替える強度配分切替手段を備える。このように、強度配分切替手段を備えることにより、たとえば緑の配分の多い映像を表示する際には緑以外の色光の強度を選択的に下げることができ、節電や映像の明るさを自由に調整することができる。以下、それぞれの部材およびこれらの配置について説明する。
【手続補正２】
【補正対象書類名】明細書
【補正対象項目名】００４７
【補正方法】変更
【補正の内容】
【００４７】
＜蛍光基板について＞
蛍光基板３９０について説明する。蛍光基板３９０は、本体部３５の表面に蛍光体が塗布された基板であり、蛍光体上に励起光が照射されると、対応する蛍光を照射することを特徴とする。本体部３５の材料としては特に限定されず、各種金属や樹脂からなる基板を採用することができる。本実施の形態では、放熱性能がよい理由から、アルミニウムからなる蛍光基板３９０を使用している。また、照射光の反射率を高めるために、本体部３５と蛍光体との間に、コーティング層３６を設けることが好ましい。本実施の形態では、銀を使用したコーティング層３６を設けている。蛍光基板３９０の形状としては特に限定されず、各種形状を採用することができるが、本実施の形態では、図２（ｂ）に示されるように、蛍光体が励起光を変換する際に生じる熱を放熱するためにモータ４０により回転可能に制御され、かつ、蛍光体３７及び３８上に照射される照射光の位置を調整することができる観点から、円形平板の本体部３５が採用されている。また、本実施の形態では、図２（ａ）に示されるように、円形の本体部３５の表面に、コーティング層３６を設けた後、同心円状に第１の蛍光体３７および第２の蛍光体３８が塗布されている。第１の蛍光体３７は、第１の照射光が照射され、より長波長の第１の蛍光を発し、第２の蛍光体３８は、上記した第２の照射光が照射され、より長波長の第２の蛍光を発する。
【手続補正３】
【補正対象書類名】明細書
【補正対象項目名】００４８
【補正方法】変更
【補正の内容】
【００４８】
本実施の形態では、第１の固体光源２０として青の照射光を照射する光源を採用しているため、青の照射光を励起光として、緑の蛍光（第１の蛍光）を発する第１の蛍光体３７が第１の蛍光手段として塗布されている。また、第２の固体光源５０として青の照射光を照射する光源を採用しているため、青の照射光を励起光として、赤の蛍光（第２の蛍光）を発する第２の蛍光体３８が第２の蛍光手段として塗布されている。これら第１の蛍光体３７および第２の蛍光体３８を本体部３５上（コーティング層上）に塗布する方法としては特に限定されず、たとえば本体部３５（またはコーティング層）に帯状の凹部を形成し、その凹部内に、各種蛍光体と有機物あるいは無機物からなるペーストをノズルから吐出させながら走査させて塗布する方法を採用することができる。
【手続補正４】
【補正対象書類名】明細書
【補正対象項目名】００６６
【補正方法】変更
【補正の内容】
【００６６】
＜蛍光基板について＞
蛍光基板３９１について説明する。本実施の形態にかかる蛍光基板３９１は、実施の形態１にかかる蛍光基板３９０と同様に表面形状が円形であり、回転駆動可能にモータ４０が設けられてなる。図５に示されるように、蛍光基板３９１の本体部３５の表面（第１の照射光および第２の照射光が照射される側）には、コーティング層３６が設けられており、本体部３５の裏面（第３の照射光が照射される側）にも同様にコーティング層５６が設けられている。コーティング層３６の表面には、実施の形態１の蛍光基板３９０と同様に、第１の蛍光体３７および第２の蛍光体３８が同心円状に塗布されてなる。また、本体部３５の裏面に設けられたコーティング層５６の表面には、第３の蛍光体３９が第３の蛍光手段として円環状に塗布されてなる。第１の蛍光体３７は、第１の照射光が照射されると、より長波長の第１の蛍光を発し、第２の蛍光体３８は、上記した第２の照射光が照射されると、より長波長の第２の蛍光を発し、さらに、第３の蛍光体３９は、第３の照射光が照射されると、より長波長の第３の蛍光を発する。
【手続補正５】
【補正対象書類名】明細書
【補正対象項目名】００７２
【補正方法】変更
【補正の内容】
【００７２】
第３の照射光は、拡散板８１および凹レンズ８２を経てダイクロイックミラー７３１に入射する。ダイクロイックミラー７３１は、青の色光を透過し、紫外光を透過しない特性を有する。上記のとおり、本実施の形態では、第３の固体光源７０として波長４０５ｎｍの紫外光を照射する半導体レーザを採用しているため、第３の照射光はほぼ全量がダイクロイックミラー７３１を透過せず反射される。反射された第３の照射光は、その光路上に配置された集光レンズ９４により集光され、蛍光基板３９１の第３の蛍光体３９が塗布された領域に照射される。第３の蛍光体３９において、第３の照射光は励起され、第３の蛍光（青）が照射され、ダイクロイックミラー９３１に入射する。ダイクロイックミラー９３１は、紫外光を透過し、青の色光を透過しない特性を有する。そのため、第３の蛍光は、ダイクロイックミラー９３１により反射される。反射された第３の蛍光は、リレーレンズ５４を経て、ダイクロイックミラー５３１に入射する。ダイクロイックミラー５３１は、ダイクロイックミラー９３１と同様に、青の色光を透過せず反射する特性を有する。そのため、第３の蛍光は、ダイクロイックミラー５３１により反射され、次いでダイクロイックミラー８３１を透過し、集光レンズ８４により集光されて光学手段８５に入射する。
【手続補正６】
【補正対象書類名】明細書
【補正対象項目名】００７３
【補正方法】変更
【補正の内容】
【００７３】
図５に示されるように、第１の蛍光と、第２の蛍光と、第３の蛍光とは、それぞれが平行な光軸上に照射され、集光レンズ８４に照射される。これにより、得られる光軸を合成することが容易となり、１つの集光レンズにこれら蛍光を照射することができ、たとえば高強度の白の色光を合成することができる。
【手続補正７】
【補正対象書類名】特許請求の範囲
【補正対象項目名】全文
【補正方法】変更
【補正の内容】
【特許請求の範囲】
【請求項１】
少なくとも第１の固体光源と第２の固体光源とを含む複数の固体光源と、
該複数の固体光源をそれぞれ独立に駆動するための駆動手段と、
第１の蛍光体が塗布されてなり、前記第１の固体光源から照射される第１の照射光を励起する第１の蛍光手段と、
第２の蛍光体が塗布されてなり、前記第２の固体光源から照射される第２の照射光を励起する第２の蛍光手段とを備え、
前記第１の蛍光手段により得られる第１の蛍光と前記第２の蛍光手段により得られる第２の蛍光とが、異なる色光であり、
前記第１の蛍光手段と前記第２の蛍光手段とが、同一の蛍光基板上に同心円状に塗り分けられて形成されていることを特徴とする照明装置。
【請求項２】
前記第１の蛍光と前記第２の蛍光とを合成するダイクロイックミラーをさらに備えることを特徴とする請求項１記載の照明装置。
【請求項３】
前記ダイクロイックミラーは、前記第１の蛍光及び前記第２の蛍光の一方を透過しかつ他方を反射することで、前記第１の蛍光と前記第２の蛍光とを合成することを特徴とする請求項２記載の照明装置。
【請求項４】
前記複数の固体光源が、第３の固体光源をさらに備え、
該第３の固体光源から照射される第３の照射光は、前記第１の蛍光体と前記第２の蛍光体とにより励起されず、そのまま映像表示に使用する投写光として利用されることを特徴とする請求項１記載の照明装置。
【請求項５】
前記複数の固体光源が、第３の固体光源をさらに備え、
該第３の固体光源から照射される第３の照射光を励起して、より長波長の第３の蛍光を発する第３の蛍光手段を備えることを特徴とする請求項１記載の照明装置。
【請求項６】
前記複数の固体光源より照射されるそれぞれの照射光が、それぞれ異なる波長を有することを特徴とする請求項１記載の照明装置。
【請求項７】
前記複数の固体光源より照射されるそれぞれの照射光が、全て同一の波長を有することを特徴とする請求項１記載の照明装置。
【請求項８】
前記複数の光源の駆動強度を、映像モード及び表示している映像の少なくとも１つに合わせて動的に切り替える強度配分切替手段をさらに備えることを特徴とする請求項１記載の照明装置。
【請求項９】
前記第１の蛍光と、
前記第２の蛍光と、
前記第３の蛍光とを合成して、白の色光が得られることを特徴とする請求項４記載の照明装置。
【請求項１０】
前記第１の蛍光と、
前記第２の蛍光と、
前記第３の照射光とを合成して、白の色光が得られることを特徴とする請求項５記載の照明装置。
【請求項１１】
前記第１の蛍光と、
前記第２の蛍光と、
前記第３の蛍光または前記第３の照射光とを、１つの光束に合成する光学手段をさらに備えることを特徴とする請求項４記載の照明装置。
【請求項１２】
前記蛍光基板は、回転制御可能な円形基板であることを特徴とする請求項１記載の照明装置。
【請求項１３】
前記第１の蛍光と、
前記第２の蛍光と、
前記第３の蛍光または前記第３の照射光とが、それぞれ平行な光軸を生成することを特徴とする請求項４記載の照明装置。
【請求項１４】
前記第１の固体光源と、前記第２の固体光源と、前記第３の固体光源とが、青の半導体レーザであり、
前記第１の蛍光が緑であり、
前記第２の蛍光が赤であることを特徴とする請求項４記載の照明装置。
【請求項１５】
前記第１の固体光源と、前記第２の固体光源と、前記第３の固体光源とが、紫外の半導体レーザであり、
前記第１の蛍光が緑であり、
前記第２の蛍光が赤であり、
前記第３の蛍光が青であることを特徴とする請求項５記載の照明装置。
【請求項１６】
請求項１〜１５のいずれか１項に記載の照明装置と、
該照明装置から照射される照射光の光束を導く光学手段と、
映像信号に応じて、前記光学手段により導かれた照射光の変調を行う画像表示素子と、
該画像表示素子で変調された照射光をスクリーン上に投写する投写レンズとを備えることを特徴とする投写型表示装置。